(57)【特許請求の範囲】
【請求項１】
原稿供給部から原稿が送り出される上側搬送路と、該上側搬送路の下流側で折り返されて原稿排出部に送る下側搬送路とを有する折り返し状の搬送経路を備えると共に、上側搬送路および下側搬送路のそれぞれにセンサが備えられた自動原稿搬送装置において、
一方のセンサは上側搬送路に沿って搬送される原稿の通過タイミングを検出し、該検出によって原稿の搬送方向先端縁側が所定の姿勢に調整され、
他方のセンサは下側搬送路に沿って搬送される原稿の通過タイミングを検出し、該検出によって自動原稿搬送装置の下側に配置された読取部で前記搬送経路に沿って搬送される原稿の内容の読み取りが行われ、
前記折り返し状の搬送経路の内側を構成するインナーガイドユニット部の上面に着脱自在なカバー体が設けられると共に、該カバー体の下方であって前記折り返し状の搬送経路の内側に前記一方のセンサと前記他方のセンサの両方が位置し、前記一方のセンサと前記他方のセンサの両方が上方側から着脱自在に装着されていることを特徴とする自動原稿搬送装置。
【請求項２】
請求項１に記載の自動原稿搬送装置において、
前記搬送される原稿によって揺動操作される原稿作用部を備えたフィーラ部材が前記上側搬送路および下側搬送路に出退自在としてそれぞれ前記インナーガイドユニット部に揺動自在に支持され、各フィーラ部材にそれぞれ備えられたタイミング検出部の揺動が前記各センサで検出されて前記通過タイミングが検出されることを特徴とする自動原稿搬送装置。
【請求項３】
請求項２に記載の自動原稿搬送装置において、
前記下側搬送路に出退自在な前記フィーラ部材は、前記インナーガイドユニット部に揺動自在に支持される支軸部と、該支軸部の外周面より下向に延設されてその下端部が下側搬送路に出退自在に突出される前記原稿作用部と、支軸部の外周面より横向に延設されてその延設端部の揺動が前記センサによって検出される前記タイミング検出部とからなることを特徴とする自動原稿搬送装置。
【請求項４】
請求項１ないし請求項３のいずれかに記載の自動原稿搬送装置を備えた画像形成装置であって、
前記下側搬送路における前記原稿の通過タイミングを前記他方のセンサで検出することにより、自動原稿搬送装置の下側に配置された読取部で前記搬送経路に沿って搬送される原稿の内容の読み取りを行うことを特徴とする画像形成装置。
【発明の詳細な説明】
【技術分野】
【０００１】
本発明は、原稿を自動で搬送する自動原稿搬送装置およびそれを備えた画像形成装置に関するものである。
【背景技術】
【０００２】
従来、コピー機やファクシミリ装置等の画像形成装置として、原稿に表示された文字等からなる画像情報を読み取るための読取部の上方に、その一辺を中心として開閉可能に構成される原稿押さえカバーを備え、該原稿押さえカバーにより読取部の原稿載置面上に載置された原稿を上方から押さえる構造のものがあった。
【０００３】
また、原稿押さえカバーの一端部には原稿を自動的に搬送する自動原稿搬送装置（ＡＤＦ装置）が備えられ、原稿供給トレイに載置した原稿を、一枚ずつピックアップして、読取部における読取位置へ搬送し、読取部により原稿表面の画像情報である内容を読み取った後に、原稿排出トレイへ排出するように構成されていた。
【０００４】
このような自動原稿搬送装置における原稿の搬送経路は、通常、上位に配置された原稿供給トレイから原稿が送り出される上側搬送路と、上側搬送路の下流側で折り返されて原稿供給トレイの下位に配置された原稿排出トレイに送るための下側搬送路とを有するいわゆるＵターン状に折り返された構造の搬送経路を備えている。
【０００５】
また、上側搬送路に送り出されてきた原稿の通過タイミングを検出するための原稿検出センサが備えられると共に、下側搬送路を搬送される原稿の通過タイミングにより、読取部による原稿の読み取りのタイミングを検出するための読取タイミング検出センサが備えられていた。
【０００６】
そして、上側搬送路側の原稿検出センサは、原稿押さえカバーにおける上面側からのメンテナンス作業とされ、下側搬送路側の読取タイミング検出センサは、原稿押さえカバーにおける底面側からのメンテナンス作業とされていた。
【０００７】
また、搬送される用紙を検出するセンサを、支点を中心にして回動可能なセンサブラケットに装着し、センサの交換作業時には、センサブラケットを回動させてセンサを検出位置から退避させることにより、交換作業の容易化を図った画像形成装置も提案されている（例えば、特許文献１参照。）。
【０００８】
【特許文献１】特開平７−１３３０３９号公報
【発明の開示】
【発明が解決しようとする課題】
【０００９】
しかしながら、上記のようなメンテナンス作業に際して、一方のセンサに対しては原稿押さえカバーの上面側からの作業となり、他方のセンサに対しては原稿押さえカバーの底面側からの作業となって、作業のアクセス方向が異なる場合、画像形成装置の設置場所でのメンテナンス作業時における作業性に劣るという問題があった。
【００１０】
特許文献１に開示の構造を採用しても、同様に、各センサに対するアクセス方向が異なる点は何ら改善されない。
【００１１】
そこで、本発明は上記点に鑑み、メンテナンス作業時における各センサに対するアクセス方向を同一方向とすることにより、各センサの点検・交換等の作業性向上を図った自動原稿搬送装置および画像形成装置を提供することを目的とする。
【課題を解決するための手段】
【００１２】
上記課題を解決するための自動原稿搬送装置の技術的手段は、原稿供給部から原稿が送り出される上側搬送路と、該上側搬送路の下流側で折り返されて原稿排出部に送る下側搬送路とを有する折り返し状の搬送経路を備えると共に、上側搬送路および下側搬送路のそれぞれにセンサが備えられた自動原稿搬送装置において、一方のセンサは上側搬送路に沿って搬送される原稿の通過タイミングを検出し、該検出によって原稿の搬送方向先端縁側が所定の姿勢に調整され、他方のセンサは下側搬送路に沿って搬送される原稿の通過タイミングを検出し、該検出によって自動原稿搬送装置の下側に配置された読取部で前記搬送経路に沿って搬送される原稿の内容の読み取りが行われ、前記折り返し状の搬送経路の内側を構成するインナーガイドユニット部の上面に着脱自在なカバー体が設けられると共に、該カバー体の下方であって前記折り返し状の搬送経路の内側に前記一方のセンサと前記他方のセンサの両方が位置し、前記一方のセンサと前記他方のセンサの両方が上方側から着脱自在に装着されている点にある。
【００１３】
また、前記搬送される原稿によって揺動操作される原稿作用部を備えたフィーラ部材が前記上側搬送路および下側搬送路に出退自在としてそれぞれ前記インナーガイドユニット部に揺動自在に支持され、各フィーラ部材にそれぞれ備えられたタイミング検出部の揺動が前記各センサで検出されて前記通過タイミングが検出される構造としてもよい。
【００１４】
さらに、前記下側搬送路に出退自在な前記フィーラ部材は、前記インナーガイドユニット部に揺動自在に支持される支軸部と、該支軸部の外周面より下向に延設されてその下端部が下側搬送路に出退自在に突出される前記原稿作用部と、支軸部の外周面より横向に延設されてその延設端部の揺動が前記センサによって検出される前記タイミング検出部とからなる構造としてもよい。
【００１５】
また、上記課題を解決するための自動原稿搬送装置を備えた画像形成装置の技術的手段は、前記下側搬送路における前記原稿の通過タイミングを前記他方のセンサで検出することにより、自動原稿搬送装置の下側に配置された読取部で前記搬送経路に沿って搬送される原稿の内容の読み取りを行う点にある。
【発明の効果】
【００１６】
以上のように、本発明の自動原稿搬送装置によれば、搬送経路の内側を構成するインナーガイドユニット部の上面に着脱自在なカバー体が設けられると共に、該カバー体の下方に位置してインナーガイドユニット部に両センサが上方側から着脱自在に装着されている構造とされているため、メンテナンス作業時において、上側搬送路側のセンサおよび下側搬送路側のセンサに対するアクセス方向が両方とも同一方向で、しかも上方側からとされているため、設置場所での各センサの点検・交換等の作業性向上が図れる利点がある。
【００１７】
また、搬送される原稿によって揺動操作される原稿作用部を備えたフィーラ部材が上側搬送路および下側搬送路に出退自在としてそれぞれインナーガイドユニット部に揺動自在に支持され、各フィーラ部材にそれぞれ備えられたタイミング検出部の揺動が各センサで検出されて通過タイミングが検出される構造とすれば、各フィーラ部材の形状選択によって、各センサをメンテナンス作業に最適な位置に配置する構造とすることができる。
【００１８】
さらに、下側搬送路に出退自在なフィーラ部材は、インナーガイドユニット部に揺動自在に支持される支軸部と、該支軸部の外周面より下向に延設されてその下端部が下側搬送路に出退自在に突出される原稿作用部と、支軸部の外周面より横向に延設されてその延設端部の揺動がセンサによって検出されるタイミング検出部とからなる構造とすれば、原稿作用部やタイミング検出部の延設長さを適宜選択することにより、センサをメンテナンス作業に最適な位置に配置する構造とすることができる。
【００１９】
また、本発明の画像形成装置によれば、前記自動原稿搬送装置を備え、下側搬送路における原稿の通過タイミングをセンサで検出することにより、自動原稿搬送装置の下側に配置された読取部で搬送経路に沿って搬送される原稿の内容の読み取りを行う構造とされており、上記のようにメンテナンス作業時において、設置場所での各センサの点検・交換等の作業性向上が図れる利点がある。
【発明を実施するための最良の形態】
【００２０】
以下、本発明の実施形態を図面に基づいて説明すると、図１は本発明の自動原稿搬送装置を備えた画像形成装置の一例としてのファクシミリ装置１を示している。このファクシミリ装置１は、記録部２の上方に読取部３が配置され、記録部２には記録装置および給紙カセット４がそれぞれ上下に内装されており、給紙カセット４内に載置される用紙を記録装置へ給紙して記録した後に、記録紙排出トレイ５へ排出するように構成されている。
【００２１】
前記読取部３においては、図２に示されるように、上面を透明状の静止原稿載置面６とした読取ケース７内に読取装置８を収納しており、該静止原稿載置面６上に載置された原稿Ｄを該読取装置８により走査して、原稿Ｄの読み取りを行うように構成されている。また、読取ケース７の上方には、その一辺を中心として開閉可能に構成される原稿押さえカバー９が配置され、該原稿押さえカバー９により静止原稿載置面６上に載置された原稿Ｄを上方から押さえる構造とされている。
【００２２】
原稿押さえカバー９の一端部には原稿Ｄを自動的に給紙する自動原稿搬送装置（ＡＤＦ装置）１０が設けられ、該自動原稿搬送装置１０は給紙装置１１と搬送装置１２とにより構成されている。そして、上位に配置された原稿供給部としての原稿供給トレイ１３に載置した原稿Ｄを、自動原稿搬送装置１０の給紙装置１１により一枚ずつピックアップして、搬送装置１２により静止原稿載置面６の一側部へ搬送し、読取装置８により原稿Ｄの表面に表示された文字等からなる画像情報、いわゆる原稿内容を読み取った後に、原稿供給トレイ１３の下側に配置された、即ち原稿押さえカバー９の上面に形成される原稿排出部としての原稿排出トレイ１４へ排出するように構成されている。
【００２３】
即ち、読取部３は、読取装置８を走査させて静止原稿Ｄを読み取るフラットベッドタイプのスキャナとして用いると共に、読取装置８を位置固定して原稿Ｄを給送しながら読み取りを行うシートフィードタイプのスキャナとして用いることができるように構成されている。
【００２４】
また、読取ケース７の一側方にはキーパネル１５が付設され、該キーパネル１５の各種操作キーを操作することにより、原稿内容の読み取りを行ったり、読み取った内容をファクシミリ送信する際の送信先の設定を行ったり、受信内容や読み取った内容の記録装置３による記録を行ったりするように構成されている。
【００２５】
前記自動原稿搬送装置１０内の原稿供給トレイ１３側上部に給紙装置１１が配設され、給紙装置１１は、回転駆動自在に配置された駆動軸１７と、駆動軸１７に装着されたセパレートローラ１８と、セパレートローラ１８の両側方で駆動軸１７に、その軸周りに相対回転自在で、かつ軸方向に移動規制状態に支持された揺動ハウジング１９と、揺動ハウジング１９の対向する両側壁部１９ａの先端部間にわたって回転自在に支持された回転軸２０に装着されたピックアップローラ２１で構成されている。なお、セパレートローラ１８およびピックアップローラ２１は、紙搬送方向の転動を許容すべく、駆動軸１７および回転軸２０にそれぞれワンウェイクラッチ機構１８ａ、２１ａを介して装着されている。
【００２６】
また、駆動軸１７の適宜部分には、図示省略のトーションバネが套嵌状に装着され、該トーションバネの一端部は、一方の側壁部１９ａに係止し、他端部は自動原稿搬送装置１０のメインカバー部１０ａ側に係止した構造とされている。そして、トーションバネは、揺動ハウジング１９を上向回動するように付勢しており、これによりピックアップローラ２１も一体的に上向回動するように付勢され、給紙装置１１の停止状態において、ピックアップローラ２１は図２の実線で示される上方位置で待機する待機状態とされている。また、セパレートローラ１８に対し、その下方に配置された分離パッド２２が所定の圧力で圧接されている。
【００２７】
そして、原稿供給トレイ１３に原稿Ｄが載置されたことを、図示省略の原稿検出手段で検出すると駆動軸１７が回転駆動される。駆動軸１７が回転駆動されると、駆動軸１７の回転に伴ってセパレートローラ１８が紙搬送方向に沿った図２の矢印方向に回転すると共に、トーションバネの付勢力に抗して揺動ハウジング１９が下向回動する。これに伴ってピックアップローラ２１も下向回動して原稿Ｄの上面に圧接される。
【００２８】
この原稿Ｄの上面に対するピックアップローラ２１の圧接により、ピックアップローラ２１の下向回動動作が停止され、その後、アイドルギア２３等によるギア伝動機構やベルト伝動機構等の適宜伝動機構を介して、駆動軸１７の回転がピックアップローラ２１に伝達され、ピックアップローラ２１は紙搬送方向に沿った仮想線で示される矢印方向へ回転を開始する。そして、ピックアップローラ２１の回転により最上層の原稿Ｄがセパレートローラ１８と分離パッド２２との間に繰り出され、セパレートローラ１８の回転に伴って搬送経路２４の下流側へ搬送される。
【００２９】
この際、搬送経路２４は、原稿供給トレイ１３から原稿Ｄが送り出される上側に位置した上側搬送路２４ａと、上側搬送路２４ａの下流側である図２の左側端部で折り返されて原稿排出トレイ１４に送るための下側に位置する下側搬送路２４ｂとを有するいわゆるＵターン状に折り返された経路とされている。
【００３０】
そして、セパレートローラ１８の回転によって送り出された原稿Ｄが、搬送ローラ２５の位置に到着したことを、上側フィーラ部材２６を介して原稿検出センサとしての原稿到着タイミング検出センサ２７により検出される。この原稿到着タイミング検出センサ２７による検出により、原稿Ｄの搬送方向先端縁側が所定の姿勢に調整されて、回転駆動される搬送ローラ２５と該搬送ローラ２５に圧接されて従動回転する第１従動ローラ２８により、さらに上側搬送路２４ａの下流側に搬送される。
【００３１】
この際、セパレートローラ１８による原稿Ｄの搬送速度よりも搬送ローラ２５による原稿Ｄの搬送速度の方がより高速に設定されており、ここに、原稿Ｄが引っ張られ、セパレートローラ１８にはその引張力が作用することになる。そして、原稿Ｄによる引張力が作用すると、ワンウェイクラッチ機構１８ａ、２１ａによりセパレートローラ１８やピックアップローラ２１は空転状態となる。
【００３２】
その後、原稿Ｄは、上側搬送路２４ａの下流側で折り返されて下側搬送路２４ｂに沿って案内され、搬送ローラ２５の下部に圧接されて従動回転する第２従動ローラ２９の位置を経由して下側搬送路２４ｂの下流側に搬送される。そして、原稿Ｄの第２従動ローラ２９の位置の通過を、下側フィーラ部材３０を介して原稿検出センサとしての読取タイミング検出センサ３１により検出される。
【００３３】
その後、原稿Ｄは、ガラス等の透明部材で構成される読取部３による読取位置の原稿読取面３２上を通過する。この原稿読取面３２上を原稿Ｄが通過する際の読み取りのタイミングが前記読取タイミング検出センサ３１により検出されており、読取ケース７内の読取装置８により原稿Ｄの内容が原稿読取面３２を通じて読み取られ、その後、下側搬送路２４ｂの下流側端部に配置された排出ローラ３３および第３従動ローラ３４により原稿排出トレイ１４へ排出される。
【００３４】
一方、搬送ローラ２５により高速で搬送される原稿Ｄの後端がセパレートローラ１８およびピックアップローラ２１よりも下流側へ搬送されると、セパレートローラ１８およびピックアップローラ２１の回転速度は初期の速度へ戻り、原稿供給トレイ１３に載置された原稿Ｄを再度繰り出し、前述同様の動作を繰り返す。そして、原稿供給トレイ１３に載置された原稿Ｄが全て繰り出されて原稿排出トレイ１４へ排出されると、自動原稿搬送装置１０はその動作を停止する。
【００３５】
ここに、搬送装置１２は、搬送ローラ２５、第１従動ローラ２８、第２従動ローラ２９、排出ローラ３３、第３従動ローラ３４により構成されている。また、Ｕターン状の搬送経路２４の内側は、搬送経路２４に沿って搬送される原稿Ｄの内周側をガイドするインナーガイドユニット部３５を構成しており、このインナーガイドユニット部３５に各フィーラ部材２６，３０や各検出センサ２７，３１が装着されている。
【００３６】
次に、各フィーラ部材２６，３０や各検出センサ２７，３１の取付け構造を、図３ないし図１３に基づき説明する。
【００３７】
即ち、図３に示されるように、自動原稿搬送装置１０におけるメインカバー部１０ａを一側部（図の左側端部）の支持部周りに上向回動させて開操作すれば、上側搬送路２４ａの上側に位置する給紙装置１１および第１従動ローラ２８が、メインカバー部１０ａと共に退避操作されて、インナーガイドユニット部３５の上面側が露出した状態となる。そして、この図でも解るように、搬送ローラ２５は搬送経路２４の幅方向に対し所定間隔を有して複数（本実施形態では５個）配設されており、同一の駆動軸３６に装着されている。なお、第１従動ローラ２８や第２従動ローラ２９も各搬送ローラ２５に対応してそれぞれ幅方向に複数配設されている。
【００３８】
また、インナーガイドユニット部３５の上面には、カバー体としてのセンサカバー３７がインナーガイドユニットハウジング３８に着脱自在に設けられている。このセンサカバー３７は、上側搬送路２４ａにおけるセパレートローラ１８位置より下流側の下面側を構成しており、各搬送ローラ２５の一部を覆うと共に、各搬送ローラ２５の両側部では円弧状に構成され、図３に示すような平面視で、幅方向に細長いいわゆる櫛歯状に構成されている。そして、センサカバー３７の長手方向両端部で固定ネジ３９によりインナーガイドユニットハウジング３８に着脱自在に固定されている。
【００３９】
さらに、センサカバー３７には、中央の搬送ローラ２５の一側方に位置して、紙搬送方向に沿った長孔状のフィーラ用開口３７ａが形成されている。
【００４０】
図４は、センサカバー３７を取り外した状態を示しており、各固定ネジ３９の位置に対応したインナーガイドユニットハウジング３８には、各固定ネジ３９が螺合される雌ネジ孔４０がそれぞれ設けられている。また、インナーガイドユニットハウジング３８の駆動軸３６側には、各搬送ローラ２５側部に露出する駆動軸３６を覆うべく、搬送ローラ２５の配置位置を避けて幅方向に細長い駆動軸カバー４１が着脱自在に装着されている。
【００４１】
さらに、図４ないし図８に示すように、センサカバー３７の下方に位置したインナーガイドユニットハウジング３８の上面には、上側フィーラ部材２６を揺動自在に支持するためのフィーラ支持部４２が、幅方向に所定間隔を有して複数（本実施形態では４箇所）突設されている。即ち、上側フィーラ部材２６は、各フィーラ支持部４２に揺動自在に支持される支軸部２６ａと、該支軸部２６ａの長さ方向一方側で、若干上向傾斜状に、紙搬送方向に沿って突設された原稿作用部２６ｂと、支軸部２６ａの長さ方向他方側で、若干下向傾斜状に、紙搬送方向に沿って突設されたタイミング検出部２６ｃと、原稿作用部２６ｂとタイミング検出部２６ｃ間で支軸部２６ａの反対側に突設されたバランスウエイト部２６ｄとを備えている。
【００４２】
そして、原稿作用部２６ｂ、タイミング検出部２６ｃ、バランスウエイト部２６ｄの存在しない支軸部２６ａの適宜部分で、各フィーラ支持部４２に揺動自在に支持されている。この際、両側のフィーラ支持部４２は、揺動自在に軸支される支軸部２６ａの外径よりも僅かに大径で、上方に開放するＵ字状の軸支持部４２ａとされ、内側２箇所のフィーラ支持部４２は、図８に示されるように、揺動自在に軸支される支軸部２６ａの外径よりも僅かに大径の円形孔部と、支軸部２６ａの外径よりも幅狭の挿入溝とからなる軸支持部４２ｂとされている。
【００４３】
この軸支持部４２ｂに支持される支軸部２６ａの対応部分２６ｅは、前記挿入溝を通過可能な幅となるように、その両側面がカットされたいわゆる小判状に形成されており、図８に示すように、支軸部２６ａの対応部分２６ｅを縦向き姿勢として、各フィーラ支持部４２の軸支持部４２ａや軸支持部４２ｂに上方から嵌め込むことにより、上側フィーラ部材２６の支軸部２６ａが各フィーラ支持部４２に揺動自在に支持されるように構成されている。
【００４４】
また、支軸部２６ａの適宜位置には図示省略のトーションバネが套嵌状に装着されており、該トーションバネの一端部はタイミング検出部２６ｃに係止し、他端部はフィーラ支持部４２側に係止した構造とされている。そして、上側フィーラ部材２６の原稿作用部２６ｂが、センサカバー３７のフィーラ用開口３７ａより上側搬送路２４ａに出退自在に突出するようにトーションバネにより常時付勢状態とされた構造とされている。
【００４５】
そして、上側搬送路２４ａを原稿Ｄが搬送される際に、原稿Ｄによって原稿作用部２６ｂが下向に押動され、この押動によって上側フィーラ部材２６がトーションバネの付勢力に抗して揺動される構造とされている。また、原稿Ｄの通過後は、トーションバネの付勢力により初期位置に復帰される。この場合における上側フィーラ部材２６の揺動に際して、支軸部２６ａにおける回動範囲Ａは、例えば、図８に示されるように対応部分２６ｅの実線部分と仮想線部分の範囲とされており、装置１の使用時における軸支持部４２ｂからの対応部分２６ｅの離脱が有効に防止できる構造とされている。
【００４６】
前記原稿到着タイミング検出センサ２７は、例えば投光部と受光部とを備えた光センサからなり、適宜折曲形成された取付ブラケット４４の一側面に固定されており、取付ブラケット４４の基板部４４ａがフィーラ支持部４２と同様、インナーガイドユニットハウジング３８の上面より突設されたセンサ支持部４５に、固定ネジ４６を介して着脱自在に固定される構造とされている。この際、センサ支持部４５の上面には、位置決めボス部４５ａが突設されており、取付ブラケット４４の基板部４４ａにおける位置決めボス部４５ａ対応位置には、ボス嵌合孔４４ｂが形成されている。そして、位置決めボス部４５ａをボス嵌合孔４４ｂに嵌合させた状態で、基板部４４ａを単一の固定ネジ４６で上方側から固定すれば、原稿到着タイミング検出センサ２７を所定位置に位置決め状態で固定できる構造とされている。
【００４７】
この原稿到着タイミング検出センサ２７の固定状態においては、図５や図６に示されるように、タイミング検出部２６ｃの先端部が投光部と受光部間に配置された状態となり、原稿Ｄの通過により上側フィーラ部材２６が揺動されて、投光部と受光部間よりタイミング検出部２６ｃが下方に退避する構造とされている。従って、タイミング検出部２６ｃが原稿到着タイミング検出センサ２７の投光部と受光部間に位置する間は、遮光状態となっており、原稿Ｄの通過を検出していないと判断される。また、タイミング検出部２６ｃが投光部と受光部間より退避した際には、受光部で投光部からの光を受光し、原稿Ｄの通過を検出していると判断される。
【００４８】
また、図４、図９ないし図１３に示すように、下側フィーラ部材３０は、駆動軸カバー４１の下面側に揺動自在に支持されており、その支持状態で、駆動軸カバー４１が駆動軸３６を覆って装着されている。即ち、下側フィーラ部材３０は、駆動軸カバー４１に形成された各フィーラ支持部４８（本実施形態では一対の搬送ローラ２５間に位置する駆動軸カバー４１の幅方向両端部）に揺動自在に支持される支軸部３０ａと、該支軸部３０ａの長さ方向中間部の一側寄りで、外周面より下向に延設された原稿作用部３０ｂと、支軸部３０ａの長さ方向中間部の他側寄りで、外周面より駆動軸３６の上方を跨ぐように横向に延設されたタイミング検出部３０ｃとを備えている。
【００４９】
そして、原稿作用部３０ｂやタイミング検出部３０ｃの存在しない支軸部３０ａの両端部で、駆動軸カバー４１の各フィーラ支持部４８に揺動自在に支持されている。この際、両側のフィーラ支持部４８は、図１２に示されるように、前記上側フィーラ部材２６の各軸支持部４２ｂと同様、揺動自在に軸支される支軸部３０ａの外径よりも僅かに大径の円形孔部と、支軸部３０ａの外径よりも幅狭の挿入溝とからなる軸支持部４８ａとされている。
【００５０】
この軸支持部４８ａに支持される支軸部３０ａの対応部分３０ｅは、上側フィーラ部材２６の各対応部分２６ｅと同様、前記挿入溝を通過可能な幅となるように、その両側面がカットされたいわゆる小判状に形成されており、図１２に示すように、支軸部３０ａの対応部分３０ｅを縦向き姿勢として、各フィーラ支持部４８の軸支持部４８ａに下方から嵌め込み所定角度回動された姿勢とすることにより、下側フィーラ部材３０の支軸部３０ａが各フィーラ支持部４８に揺動自在に支持されるように構成されている。
【００５１】
また、支軸部３０ａの適宜位置には図示省略のトーションバネが套嵌状に装着されており、該トーションバネの一端部はタイミング検出部３０ｃに係止し、他端部は駆動軸カバー４１の内面側に係止した構造とされている。そして、下側フィーラ部材３０の原稿作用部３０ｂの下端部が、図２に示されるように、インナーガイドユニット部３５に適宜形成されたフィーラ用開口より下側搬送路２４ｂに出退自在に突出するようにトーションバネにより常時付勢状態とされた構造とされている。
【００５２】
そして、下側搬送路２４ｂを原稿Ｄが搬送される際に、原稿Ｄによって原稿作用部３０ｂが搬送経路２４の内側方向に押動され、この押動によって下側フィーラ部材３０がトーションバネの付勢力に抗して揺動される構造とされている。また、原稿Ｄの通過後は、トーションバネの付勢力により初期位置に復帰される。この場合における下側フィーラ部材３０の揺動に際して、支軸部３０ａにおける回動範囲Ｂは、例えば、図１２に示されるように対応部分３０ｅの実線部分と仮想線部分の範囲とされており、装置１の使用時における軸支持部４８ａからの対応部分３０ｅの離脱が有効に防止できる構造とされている。
【００５３】
前記読取タイミング検出センサ３１は、例えば投光部と受光部とを備えた光センサからなり、適宜折曲形成された取付ブラケット４９の一側面に固定されており、取付ブラケット４９の基板部４９ａが前記取付ブラケット４４と同様、インナーガイドユニットハウジング３８の上面より突設されたセンサ支持部５０に、固定ネジ５１を介して着脱自在に固定される構造とされている。この際、センサ支持部５０の上面には、位置決めボス部５０ａが突設されており、取付ブラケット４９の基板部４９ａにおける位置決めボス部５０ａ対応位置には、ボス嵌合孔４９ｂが形成されている。そして、位置決めボス部５０ａをボス嵌合孔４９ｂに嵌合させた状態で、基板部４９ａを単一の固定ネジ５１で上方側から固定すれば、読取タイミング検出センサ３１を所定位置に位置決め状態で固定できる構造とされている。
【００５４】
この読取タイミング検出センサ３１の固定状態においては、図９や図１０に示されるように、タイミング検出部３０ｃの延設端部である先端部が投光部と受光部間に配置された状態となり、原稿Ｄの通過により下側フィーラ部材３０が揺動されて、投光部と受光部間よりタイミング検出部３０ｃが上方に退避する構造とされている。従って、タイミング検出部３０ｃが読取タイミング検出センサ３１の投光部と受光部間に位置する間は、遮光状態となっており、原稿Ｄの通過を検出していないと判断される。また、タイミング検出部３０ｃが投光部と受光部間より退避した際には、受光部で投光部からの光を受光し、原稿Ｄの通過を検出していると判断される。
【００５５】
本実施形態は以上のように構成されており、ファクシミリ装置１の設置場所での定期的なメンテナンス作業に際して、原稿到着タイミング検出センサ２７や読取タイミング検出センサ３１の点検・交換等の作業を行う場合、自動原稿搬送装置１０のメインカバー部１０ａを図３のように開放し、次に、各固定ネジ３９を取外してセンサカバー３７を取外せば、原稿到着タイミング検出センサ２７や読取タイミング検出センサ３１の取付け部分が露出する。
【００５６】
この状態で、固定ネジ４６を取外せば、取付ブラケット４４と共に原稿到着タイミング検出センサ２７をインナーガイドユニット部３５のセンサ支持部４５から取外すことができ、固定ネジ５１を取外せば、取付ブラケット４９と共に読取タイミング検出センサ３１をインナーガイドユニット部３５のセンサ支持部５０から取外すことができる。
【００５７】
従って、メンテナンス作業時において、上側搬送路２４ａ側の原稿到着タイミング検出センサ２７および下側搬送路２４ｂ側の読取タイミング検出センサ３１に対するアクセス方向が両方とも同一方向であるため、設置場所での各センサ２７，３１の点検・交換等の作業性向上が図れる利点がある。
【００５８】
しかもその作業が上方側から行うことができるため、この点からも作業性向上が図れる利点がある。
【００５９】
また、各取付ブラケット４４，４９のセンサ支持部４５，５０に対する位置決め固定に際して、それぞれセンサ支持部４５，５０に突設された位置決めボス部４５ａ，４９ａに各取付ブラケット４４，４９における基板部４４ａ，４９ａのボス嵌合孔４４ｂ，４９ｂを嵌合させた状態で、それぞれ単一の固定ネジ４６，５１をネジ止めする方式であり、単一の固定ネジ４６，５１の着脱により、各センサ２７，３１を着脱することができ、この点からも点検・交換等の作業性向上が図れる利点がある。
【００６０】
さらに、原稿Ｄの所望位置の通過タイミングを、揺動自在に支持された上側フィーラ部材２６および下側フィーラ部材３０を介して原稿到着タイミング検出センサ２７および読取タイミング検出センサ３１で検出する構造としているため、各フィーラ部材２６，３０の形状構造を適宜選択することによって、各センサ２７，３１をメンテナンス作業に最適な位置に容易に配置する構造とすることができる。
【００６１】
また、上側フィーラ部材２６にあっては、支軸部２６ａを支持するフィーラ支持部４２の同一側に、原稿作用部２６ｂおよびタイミング検出部２６ｃが突設されているが、反対側にバランスウエイト部２６ｄを備えることによって、上側フィーラ部材２６の支軸部２６ａを中心とした重量バランスを略等しくし、それにより一方向にのみ重量が偏ることを防止している。このように上側フィーラ部材２６を設計することにより、トーションバネによる負荷を軽減することが可能となる。
【００６２】
さらに、下側フィーラ部材３０にあっては、支軸部３０ａの外周面より下向に延設された原稿作用部３０ｂと、支軸部３０ａの外周面より横向に延設されたタイミング検出部３０ｃとからなるため、原稿作用部３０ｂやタイミング検出部３０ｃの延設長さを適宜選択することにより、読取タイミング検出センサ３１をメンテナンス作業に最適な位置に容易に配置する構造とすることができる。
【００６３】
なお、前記実施形態において、フィーラ部材２６，３０の揺動を検出することにより、原稿Ｄの通過タイミングをセンサ２７，３１で検出する構造を示しているが、このようなフィーラ部を一体に備えたセンサを利用する構造等であってもよく、実施形態の形状構造のフィーラ部材２６，３０やセンサ２７，３１に何ら限定されない。
【００６４】
また、各センサ２７，３１を固定ネジ４６，５１で着脱自在に固定する構造を示しているが、その他の着脱自在な固定構造であってもよい。
【００６５】
さらに、前記実施形態においては、自動原稿搬送装置１０をファクシミリ装置１に適用した構造について説明しているが、これに限定するものではなく、コピー機やスキャナ装置等の用紙の自動搬送等を行うその他の装置に適用することもできる。
【図面の簡単な説明】
【００６６】
【図１】本発明の実施形態にかかるファクシミリ装置を示す斜視図である。
【図２】同自動原稿搬送装置の断面図である。
【図３】原稿押さえカバーにおけるメインカバー部開状態の平面図である。
【図４】原稿押さえカバーにおけるセンサカバー取外し状態の平面図である。
【図５】原稿到着タイミング検出センサ取付け部分の拡大図である。
【図６】同要部正面図である。
【図７】上側フィーラ部材の斜視図である。
【図８】上側フィーラ部材の支持部分の説明図である。
【図９】読取タイミング検出センサ取付け部分の拡大図である。
【図１０】同要部正面図である。
【図１１】下側フィーラ部材の斜視図である。
【図１２】下側フィーラ部材の支持部分の説明図である。
【図１３】下側フィーラ部材の支持部分の底面側からの斜視図である。
【符号の説明】
【００６７】
１  ファクシミリ装置
３  読取部
８  読取装置
１０  自動原稿搬送装置
１０ａ  メインカバー部
１１  給紙装置
１２  搬送装置
１３  原稿供給トレイ
１４  原稿排出トレイ
２４  搬送経路
２４ａ  上側搬送路
２４ｂ  下側搬送路
２６  上側フィーラ部材
２６ａ  支軸部
２６ｂ  原稿作用部
２６ｃ  タイミング検出部
２７  原稿到着タイミング検出センサ
３０  下側フィーラ部材
３０ａ  支軸部
３０ｂ  原稿作用部
３０ｃ  タイミング検出部
３１  読取タイミング検出センサ
３２  原稿読取面
３５  インナーガイドユニット部
３７  センサカバー
４４  取付ブラケット
４９  取付ブラケット
【図１】
0004640237.tif 000002
【図２】
0004640237.tif 000003
【図３】
0004640237.tif 000004
【図４】
0004640237.tif 000005
【図５】
0004640237.tif 000006
【図６】
0004640237.tif 000007
【図７】
0004640237.tif 000008
【図８】
0004640237.tif 000009
【図９】
0004640237.tif 000010
【図１０】
0004640237.tif 000011
【図１１】
0004640237.tif 000012
【図１２】
0004640237.tif 000013
【図１３】
0004640237.tif 000014